(57)【要約】本発明に係るインクジェットヘッドは、アクチュエータに触れない状態で配置されるスペーサ部材の変形が防止されて、組立が容易化されたインクジェットヘッド及びインクジェット記録装置を提供することを課題とし、上記課題は、複数の圧力室が二次元配列されて形成された圧力室基板と、前記圧力室に対応して配置され、前記圧力室内に圧力を印加する複数のアクチュエータ６０と、前記圧力室を外方に連通させ、前記圧力室内の液体を液滴として吐出する複数のノズルと、前記アクチュエータ６０の厚さよりも厚いスペーサ部材４０とを備え、前記スペーサ部材４０は、前記圧力室基板に前記アクチュエータ６０に接触しない状態で接着された基材部４０ａと、前記基材部４０ａの一の箇所から他の箇所に亘って延在され前記圧力室基板及び前記アクチュエータから離間している梁部４０ｂとを有することで解決される。
2018110035.tif 000002
【特許請求の範囲】
【請求項１】
複数の圧力室が二次元配列されて形成された圧力室基板と、
前記圧力室に対応して配置され、前記圧力室内に圧力を印加する複数のアクチュエータと、
前記圧力室を外方に連通させ、前記圧力室内の液体を液滴として吐出する複数のノズルと、
前記アクチュエータの厚さよりも厚いスペーサ部材とを備え、
前記スペーサ部材は、前記圧力室基板に前記アクチュエータに接触しない状態で接着された基材部と、前記基材部の一の箇所から他の箇所に亘って延在され前記圧力室基板及び前記アクチュエータから離間している梁部とを有するインクジェットヘッド。
【請求項２】
前記スペーサ部材は、前記圧力室内に液体を供給するための流路に連通した導通路を有し、
前記導通路は、前記基材部に設けられており、前記梁部の基端部近傍に位置している請求項１記載のインクジェットヘッド。
【請求項３】
前記梁部は、前記アクチュエータ同士の間の位置を跨いで延在されている請求項１又は２記載のインクジェットヘッド。
【請求項４】
前記基材部は、前記アクチュエータ同士の間に位置する複数の桟部であり、
前記桟部の長手方向を、前記ノズルから液滴を吐出しながら描画を行うときの記録媒体に対する相対移動方向に直交する方向として配置されている請求項１、２又は３記載のインクジェットヘッド。
【請求項５】
請求項１、２又は３記載のインクジェットヘッドと、
前記導通路及び前記流路を介して前記圧力室内にインクを供給するインク供給手段と、
前記基材部の前記桟部の長手方向に直交する方向に前記インクジェットヘッドと記録媒体とを相対移動させながら、前記ノズルから液滴を吐出させ、前記記録媒体への描画を行わせる制御手段とを備えたインクジェット記録装置。
【発明の詳細な説明】
【技術分野】
【０００１】
本発明は、インクジェットヘッド及びインクジェット記録装置に関し、詳しくは、アクチュエータに触れない状態で配置されるスペーサ部材の変形が防止されて、組立が容易化されたインクジェットヘッド及びインクジェット記録装置に関する。
【背景技術】
【０００２】
近年、インクジェットヘッドの分野では、特許文献１に記載されているように、複数のノズルを二次元配列し、ヘッドサイズの大型化を抑えつつノズルを高密度に配置することができるインクジェットヘッドが提案されている。このインクジェットヘッドにおいては、複数のノズルに対応された複数の圧力室が二次元配列されている。複数の圧力室に対応して、圧力室内に圧力を印加する複数のアクチュエータが二次元配列されて配置されている。アクチュエータは、圧力室の一部である振動板を振動させ、圧力室内に圧力を印加する。【０００３】
アクチュエータの近傍には、アクチュエータに触れない状態でスペーサ部材が配置されている。スペーサ部材は、圧力室のアクチュエータ側に配置される共通インク室と、アクチュエータとの間の空隙を確保するために用いられている。【０００４】
スペーサ部材は、アクチュエータ同士の間に位置する互いに平行な複数の桟（さん）部を有して、簾（すだれ）状に構成されている。このスペーサ部材は、薄い金属板にエッチング加工を施すことにより構成されている。
【先行技術文献】
【特許文献】
【０００５】
【特許文献１】特開２０１５−１４２９７９号公報
【発明の概要】
【発明が解決しようとする課題】
【０００６】
前述のようなインクジェットヘッドの組立においては、複数の圧力室が二次元配列されて形成された圧力室基板に対して、スペーサ部材を接着させる工程がある。前述したように、スペーサ部材は、複数の桟部を有する簾状の部材である。桟部は、厚さが１００μｍ程度、幅が数十μｍ程度と極めて細いため、脆弱であり、圧力室基板に対して接着される前においては変形し易い。【０００７】
桟部が変形されたスペーサ部材を用いてしまうと、桟部がアクチュエータに触れてアクチュエータの動きを阻害する虞が生じ、インクリークの懸念も生ずる。そのため、変形のないスペーサ部材を選別して用いることにより、アクチュエータの動きの阻害や、インクリークが生じないようにしている。【０００８】
スペーサ部材を選別して用いることは、インクジェットヘッドの製造を煩雑にする要因となっている。したがって、圧力室基板に接着される前において、スペーサ部材の変形を防止することが望まれる。【０００９】
そこで、本発明は、アクチュエータに触れない状態で配置されるスペーサ部材の変形が防止されて、組立が容易化されたインクジェットヘッド及びインクジェット記録装置を提供することを課題とする。【００１０】
本発明の他の課題は、以下の記載により明らかとなる。
【課題を解決するための手段】
【００１１】
上記課題は、以下の各発明によって解決される。【００１２】
１．
複数の圧力室が二次元配列されて形成された圧力室基板と、
前記圧力室に対応して配置され、前記圧力室内に圧力を印加する複数のアクチュエータと、
前記圧力室を外方に連通させ、前記圧力室内の液体を液滴として吐出する複数のノズルと、
前記アクチュエータの厚さよりも厚いスペーサ部材とを備え、
前記スペーサ部材は、前記圧力室基板に前記アクチュエータに接触しない状態で接着された基材部と、前記基材部の一の箇所から他の箇所に亘って延在され前記圧力室基板及び前記アクチュエータから離間している梁部とを有するインクジェットヘッド。
２．
前記スペーサ部材は、前記圧力室内に液体を供給するための流路に連通した導通路を有し、
前記導通路は、前記基材部に設けられており、前記梁部の基端部近傍に位置している前記１記載のインクジェットヘッド。
３．
前記梁部は、前記アクチュエータ同士の間の位置を跨いで延在されている前記１又は２記載のインクジェットヘッド。
４．
前記基材部は、前記アクチュエータ同士の間に位置する複数の桟部であり、
前記桟部の長手方向を、前記ノズルから液滴を吐出しながら描画を行うときの記録媒体に対する相対移動方向に直交する方向として配置されている前記１、２又は３記載のインクジェットヘッド。
５．
前記１、２又は３記載のインクジェットヘッドと、
前記導通路及び前記流路を介して前記圧力室内にインクを供給するインク供給手段と、
前記基材部の前記桟部の長手方向に直交する方向に前記インクジェットヘッドと記録媒体とを相対移動させながら、前記ノズルから液滴を吐出させ、前記記録媒体への描画を行わせる制御手段とを備えたインクジェット記録装置。
【発明の効果】
【００１３】
本発明によれば、アクチュエータに触れない状態で配置されるスペーサ部材の変形が防止されて、組立が容易化されたインクジェットヘッド及びインクジェット記録装置を提供することができる。
【図面の簡単な説明】
【００１４】
【図１】本発明に係るインクジェットヘッドの斜視図
【図２】図１に示すインクジェットヘッドの縦断面図
【図３】図２に示す縦断面図のうち、一つのノズルに係る構成の拡大図
【図４】スペーサ部材の構成を示す平面図
【図５】スペーサ部材の構成を示す図４中の（ｖ）−（ｖ）縦断面図
【図６】スペーサ部材の構成を示す図４中の（ｖｉ）−（ｖｉ）縦断面図
【図７】スペーサ部材の構成の他の実施形態を示す平面図
【図８】スペーサ部材の要部の他の実施形態を示す平面図
【図９】スペーサ部材の構成の他の実施形態を示す平面図
【図１０】本発明に係るインクジェット記録装置の構成を示すブロック図
【発明を実施するための形態】
【００１５】
以下、本発明の実施の形態について図面を用いて詳細に説明する。
【００１６】
〔インクジェットヘッド〕
図１は、本発明に係るインクジェットヘッド１の斜視図である。
図１では、１つのインクジェットヘッド１のみを示している。一般にインクジェット記録装置には、例えばイエロー（Ｙ）、マゼンタ（Ｍ）、シアン（Ｃ）、ブラック（Ｋ）等の各色インク用の複数のインクジェットヘッド１が搭載される。
【００１７】
インクジェットヘッド１は、図１に示すように、平面である射出面Ｐに二次元配列されて設けられた複数のノズルＮを備えている。これらノズルＮからは、射出面Ｐから離間する方向（図１中の下方）に向けてインクが吐出される。
【００１８】
以下、複数のノズルＮが設けられた射出面Ｐに平行な平面をＸ−Ｙ平面とし、Ｘ−Ｙ平面に平行な方向であって互いに直交する方向を、それぞれ「Ｘ方向」及び「Ｙ方向」とする。また、Ｘ−Ｙ平面に直交する方向を「Ｚ方向」とする。「Ｚ方向」のうち、インクが吐出される方向を「下方」とし、その反対方向を「上方」とする。
【００１９】
複数のノズルＮは、Ｙ方向に配列された複数のノズルＮからなるノズル列が、Ｘ方向に複数列設けられて、二次元配列されている。
【００２０】
図２は、図１に示すインクジェットヘッドの縦断面図である。なお、図２では、複数のノズルＮのうち、四つのノズルＮについて図示している。
【００２１】
複数のノズルＮは、図２に示すように、板状のノズルプレート１０を厚み方向（Ｚ方向）に貫いた貫通孔として形成されている。ノズルプレート１０には、複数のノズルＮからインクが吐出される方向（下方）の反対方向（上方）に、複数の基板等の板状部材が積層されている。ノズルプレート１０には、近い側から、圧力室基板２０、スペーサ部材４０及び配線基板５０が積層されている。以下、ノズルプレート１０、圧力室基板２０、スペーサ部材４０及び配線基板５０が積層された複数の板状部材からなる構造体を積層体Ａという。
【００２２】
図３は、図２に示す断面図のうち、一つのノズルＮに係る構成の拡大図である。
【００２３】
圧力室基板２０には、図２及び図３に示すように、複数のノズルＮに対応して連通された複数の圧力室２１が二次元配列されて形成されている。圧力室基板２０は、上面部に沿って振動板３０を有している。圧力室２１は、圧力室基板２０を厚み方向（Ｚ方向）に貫いた貫通孔が、上面側を振動板３０によって閉蓋され、下面側をノズルプレート１０によって閉蓋された空間である。振動板３０は、圧力室２１の天井面を構成しており、圧力室２１の一部をなしている。
【００２４】
複数のノズルＮは、圧力室２１をノズルプレート１０の下面において外方（下方）に連通させている。複数のノズルＮは、圧力室２１内の液体を液滴として外方（下方）に吐出する。
【００２５】
圧力室基板２０の上面には、振動板３０を介して、複数のアクチュエータ６０が設けられている。アクチュエータ６０は、圧力室２１に対応して配置されている。アクチュエータ６０は、振動板３０を振動させることにより、圧力室２１内に圧力を印加する。
【００２６】
アクチュエータ６０は、圧力室基板２０の上面に積層されたスペーサ部材４０に設けられた複数の開口部４２内に位置している。開口部４２は、スペーサ部材４０をＺ方向に貫通した透孔である。スペーサ部材４０は、アクチュエータ６０の厚さ（例えば５０μｍ程度）よりも厚く形成され、その厚さは、例えば１００μｍ程度である。したがって、アクチュエータ６０は、開口部４２内に全体が収納された状態で設置されている。スペーサ部材４０は、圧力室基板２０と配線基板５０との間で、アクチュエータ６０及びアクチュエータ６０への接続部９０のＺ方向に沿った厚さに対応するスペースを確保している。
【００２７】
スペーサ部材４０及び配線基板５０には、圧力室２１に連通する複数の導通路４１、５１が開設されていることが好ましい。これら導通路４１、５１は、スペーサ部材４０及び配線基板５０を厚み方向（Ｚ方向）に貫いた貫通孔であり、互いに連通してインク流路を構成している。スペーサ部材４０において、導通路４１は、開口部４２とは異なる位置に、開口部４２から離間して形成されている。
【００２８】
圧力室基板２０には、圧力室基板２０の上面から圧力室２１内にインクを供給するための流路２１ａが形成されている。この流路２１ａは、圧力室基板２０の上面側の振動板３０の開口部３１から、圧力室２１に連通されている。この流路２１ａは、開口部３１において導通路４１、５１からなるインク流路に連通され、さらに、配線基板５０の上方に設けられた共通インク室７０に連通されている。したがって、圧力室２１は、共通インク室７０に連通されている。
【００２９】
共通インク室７０は、図２に示すように、配線基板５０の上方に配置された筐体８０内に設けられ、図示しないインク供給手段に接続される。インク供給手段から共通インク室７０に供給されたインクは、導通路５１、４１、開口部３１及び流路２１ａを通って圧力室２１に供給される。圧力室２１に供給されたインクは、アクチュエータ６０の動作に応じて振動板３０が振動することにより、圧力が加えられ、ノズルＮから吐出される。
【００３０】
〔スペーサ部材〕
図４は、スペーサ部材４０の構成を示す平面図である。
【００３１】
スペーサ部材４０は、振動板３０を介して圧力室基板２０の上面に積層され接着されている。スペーサ部材４０は、図４に示すように、基材部４０ａを有し、この基材部４０ａが圧力室基板２０の上面（振動板３０）に接着されている。基材部４０ａは、アクチュエータ６０に接触しない領域に接着されている。すなわち、基材部４０ａは、アクチュエータ６０同士の間に位置して圧力室基板２０の上面に接着された複数の互いに平行な長尺状の桟部となっている。
【００３２】
スペーサ部材４０は、基材部４０ａの一の箇所から他の箇所に亘って延在された梁（はり）部４０ｂを複数有している。梁部４０ｂは、圧力室基板２０及びアクチュエータ６０から離間している。梁部４０ｂは、その一部がアクチュエータ６０の上方に位置している。梁部４０ｂは、基材部４０ａに一体的に形成されている。基材部４０ａと梁部４０ｂとで、格子形状が構成されている。スペーサ部材４０において、基材部４０ａのうちの２本の桟部及び２本の梁部４０ｂによって囲まれた部分が開口部４２である。開口部４２は、梁部４０ｂが圧力室基板２０から離間しているので、圧力室基板２０側において拡がっており、基材部４０ａである桟部の長手方向について繋がっている。
【００３３】
なお、梁部４０ｂは、図４に示す例では全てのアクチュエータ６０に対応して、すなわち、アクチュエータ６０間の間隔に等しい間隔ごとに設けられているが、これに限られない。梁部４０ｂは、アクチュエータ６０間の間隔の２倍の間隔や、３倍の間隔で、すなわち、アクチュエータ６０の数よりも少ない数を設けてもよい。
【００３４】
このスペーサ部材４０においては、基材部４０ａである複数の桟部同士が複数の梁部４０ｂによって連結されて格子形状が構成されていることにより、基材部４０ａの屈曲変形が抑止される。
【００３５】
図５は、スペーサ部材の構成を示す図４中の（ｖ）−（ｖ）縦断面図である。
図６は、スペーサ部材の構成を示す図４中の（ｖｉ）−（ｖｉ）縦断面図である。
【００３６】
スペーサ部材４０は、図５及び図６に示すように、配線基板５０が積層される上面部は面一である。したがって、梁部４０ｂは、下面部の肉が削がれていることにより、圧力室基板２０及びアクチュエータ６０から離間している。梁部４０ｂの最も薄い部分の厚さは、例えば２０μｍ〜３０μｍ程度である。
【００３７】
梁部４０ｂは、図４に示すように、アクチュエータ６０同士の間の位置を跨いで延在させることが好ましい。基材部４０ａ（桟部）とアクチュエータ６０との距離が近い場所に梁部４０ｂを配置する場合には、梁部４０ｂとアクチュエータ６０との接触を避けるために、梁部４０ｂは、極力、アクチュエータ６０までの距離を離すことが望ましいからである。
【００３８】
梁部４０ｂをエッチング加工によって減肉して形成した場合には、図５に示すように、下面部がアーチ形状となる。このアーチ形状の中央部下方にアクチュエータ６０の円弧状の側縁部を位置させることにより、梁部４０ｂとアクチュエータ６０との接触を避けることができる。
【００３９】
図７は、スペーサ部材の構成の他の実施形態を示す平面図である。
【００４０】
梁部４０ｂとアクチュエータ６０との接触を避けるために、梁部４０ｂからアクチュエータ６０までの距離を離すには、図７に示すように、梁部４０ｂは、アクチュエータ６０の側縁に沿って湾曲した形状とすることも好ましい。
【００４１】
図８は、スペーサ部材の要部の他の実施形態を示す平面図である。
【００４２】
スペーサ部材４０においては、図８（ｃ）に示すように、導通路４１は、基材部４０ａに設け、基材部４０ａと梁部４０ｂとがなす格子形状の交差部４０ｃを含まないように設けてもよい。ただし、導通路４１は、図８（ａ）（ｂ）に示すように、基材部４０ａに設け、梁部４０ｂの基端部（連結部）近傍に位置させることが好ましい。すなわち、導通路４１は、基材部４０ａと梁部４０ｂとがなす格子形状の交差部４０ｃを少なくとも一部に含んで設けることが好ましい。基材部４０ａと梁部４０ｂとの連結部近傍は剛性が高いので、導通路４１を開設しても、基材部４０ａの屈曲変形を抑止できるからである。
【００４３】
このインクジェットヘッドは、インクジェット記録装置において、図４に示すように、基材部４０ａである桟部の長手方向を、ノズルＮから液滴を吐出しながら描画を行うときの記録媒体に対する相対移動方向（主走査方向）に直交する方向（副走査方向）として配置されることが好ましい。このように配置することにより、副走査方向については、基材部４０ａによりアクチュエータ６０同士の間隔を狭めることが阻害されないので、アクチュエータ６０同士の間隔を狭めることにより、副走査方向の画素密度を上げることができるからである。主走査方向については、基材部４０ａ（桟部）によりアクチュエータ６０同士の間隔を狭めることが阻害されるが、走査速度に対して駆動周波数を相対的に上げることにより、主走査方向の画素密度を上げることができる。
【００４４】
スペーサ部材４０をなす材料としては、４２アロイ等の金属材料が好ましい。４２アロイは、重量パーセントでニッケルが４２％、鉄が５７％で、残りが微量の添加物質（例えば、銅、マンガン等）からなる合金である。スペーサ部材４０は、スペーサ部材４０の厚みに相当する厚みを有する金属板に対して、両面エッチング加工を施すことによって作成される。スペーサ部材４０には、ニッケルメッキやパリレン（登録商標）等の表面処理を施すことも好ましい。
【００４５】
圧力室基板２０（振動板３０を含む）及び配線基板５０をなす材料としては、シリコン（Ｓｉ）が好ましい。４２アロイの熱膨張係数は、４．５×１０−６／℃〜６×１０−６／℃である。シリコンの熱膨張係数は、２．５×１０−６／℃〜４×１０−６／℃である。また、４２アロイとシリコンとの熱膨張係数の差は、０．５×１０−６／℃〜３．５×１０−６／℃である。このように、４２アロイ及びシリコンの熱膨張係数は、ともに極めて小さく、また、略同一といえる。
【００４６】
そのため、積層体Ａの形成に際して行われる各基板等に対する加熱等による温度変化や、インクジェットヘッド１の動作に伴う発熱による温度変化等、各種の要因による温度変化が各基板等に生じたとしても、各基板等の熱膨張の度合いが極めて小さく、また、略同一となることから、基板等同士の熱膨張係数の差による基板等の反りや基板等間の剥離による問題の発生を防止することができる。したがって、基板等の反りによるノズルＮからのインクの吐出角度の変化を防止することができる。また、基板等間の剥離部分からインクが漏れ出すこともなくなる。このように、本実施形態のインクジェットヘッド１によれば、インクジェットヘッド１の信頼性をより向上させることができる。
【００４７】
図９は、スペーサ部材の構成の他の実施形態を示す平面図である。
【００４８】
スペーサ部材４０は、図９に示すように、梁部４０ｂの幅を広く形成し、この梁部４０ｂがアクチュエータ６０の上方を覆うようにして構成してもよい。この場合には、開口部４２の上方側の開口は、アクチュエータ６０に対する電気的接続を行う接続部が挿通できる大きさであればよい。したがって、この場合には、スペーサ部材４０の上面は、桟部の上面及び梁部４０ｂの上面がほぼ全面に亘って連続した平面状となる。このように梁部４０ｂの幅を広くすることにより、基材部４０ａの屈曲変形をより確実に抑止することができる。
【００４９】
〔配線基板〕
アクチュエータ６０は、図３に示すように、配線基板５０に設けられた配線５２と電気的に接続されている。アクチュエータ６０の上面には、配線電極６１が設けられている。また、アクチュエータ６０の下面には、第１電極層６２が設けられている。配線電極６１は、接続部９０を介して、配線基板５０の下面側に設けられた配線５２と電気的に接続されている。接続部９０は、配線電極６１と配線５２とをＺ方向に沿って接続するよう設けられている。
【００５０】
接続部９０は、配線基板５０に形成されたバンプ９１を有する。具体的には、バンプ９１は、例えば、金を材料としたワイヤーボンディングにより形成される。また、バンプ９１は、例えば、配線５２の下面に形成される。配線５２は、例えば、少なくとも下面が平坦な面となるよう設けられた導電性を有する金属（例えば、アルミニウム）製の板により構成されている。バンプ９１の下端側には、導電性材料９２が塗布されている。具体的には、導電性材料９２は、例えば、導電性接着剤である。導電性接着剤とは、導電性を有する金属粉末（例えば、銀粉等）が混入された接着剤であり、導電性を有する。
【００５１】
このように、接続部９０は、配線基板５０に形成されたバンプ９１とバンプ９１に塗布された導電性材料９２を介して、配線基板５０とアクチュエータ６０とを電気的に接続する。
【００５２】
配線基板５０は、例えば、配線基板５０の基部である板状のインターポーザ５３と、インターポーザ５３の下面を被覆する絶縁層５５と、絶縁層５５の下面に設けられた配線５２と、配線５２のうちバンプ９１が形成されない部分の下面及び絶縁層５５のうち配線５２が設けられていない下面を被覆する絶縁層５９と、インターポーザ５３、絶縁層５５及び絶縁層５９を貫通する導通路５１と、を有する。配線５２は、アクチュエータ６０への電圧の印加に係る図示しない制御部に接続されている。
【００５３】
また、図３に示すように、第１電極層６２は、第２電極層６３に当接している。第２電極層６３は、第１電極層６２と制御部とを電気的に接続する。具体的には、第１電極層６２は、例えば、第２電極層６３及び第２電極層６３に接続された図示しない配線を介して制御部に接続されている。なお、振動板３０を導電体とすれば、振動板３０を、第１電極層６２と制御部とを電気的に接続する電極として機能させることができる。この場合には、第２電極層６３を別途設ける必要はない。
【００５４】
アクチュエータ６０は、配線電極６１が、接続部９０及び配線５２を介して制御部に接続されるとともに、第１電極層６２が、振動板３０（又は第２電極層６３）及び図示しない配線を介して制御部に接続されることにより、制御部の制御下で動作する。
【００５５】
〔インクジェット記録装置〕
図１０は、本発明に係るインクジェット記録装置の構成を示すブロック図である。
【００５６】
本発明に係るインクジェット記録装置は、図１０に示すように、前述したインクジェットヘッド１と、導通路５１、４１、開口部及び流路を介して圧力室内にインクを供給するインク供給手段１００と、インクジェットヘッド１の吐出動作及び記録媒体１０１との相対移動操作を制御する制御手段となる制御部１０２とを備えて構成される。
【００５７】
制御部１０２は、メモリ１０３から描画データを取得し、この描画データに基づいて、インクジェットヘッド１のアクチュエータ６０に駆動電圧を印加する。駆動電流を供給されたアクチュエータ６０は、圧力室内のインクを、記録媒体１０１に向けてノズルから吐出させる。
【００５８】
また、制御部１０２は、インク供給手段１００を制御して、インクジェットヘッド１の導通路５１、４１を介して、圧力室内にインクを供給させる。インク供給手段１００は、インクを貯留するインクタンク、インクタンクからインクジェットヘッド１に至る流路、流路中をインクジェットヘッド１に向けてインクを流すポンプを有している。制御部１０２は、ポンプを駆動させて、インクジェットヘッド１にインクを供給させる。
【００５９】
制御部１０２は、移動操作機構１０４を制御して、インクジェットヘッド１及び記録媒体１０１を相対移動操作させる。移動操作機構１０４は、記録媒体１０１を移動操作するための支持機構及び駆動機構と、インクジェットヘッド１を移動操作するための支持機構及び駆動機構とを有している。制御部１０２は、描画データに基づいて、駆動機構に駆動電流を供給して、インクジェットヘッド１及び記録媒体１０１を相対移動操作させる。
【００６０】
描画を行うときは、インクジェットヘッド１及び記録媒体１０１の相対移動方向は、スペーサ部材４０の基材部４０ａである桟部の長手方向に直交する方向（主走査方向）である。制御部１０２は、このように主走査をさせながら、複数のノズルから液滴を吐出させ、記録媒体１０１への描画データに基づく描画を行わせる。
【００６１】
次に制御部１０２は、描画を行わずに、スペーサ部材４０の基材部４０ａである桟部の長手方向（副走査方向）にインクジェットヘッド１及び記録媒体１０１を相対移動させる。このような副走査が終了すると、制御部１０２は、再び主走査及び描画を行う。このようにして、主走査及び描画と、副走査とが繰り返されることにより、記録媒体１０１上に、描画データに基づく画像が形成される。
【００６２】
本発明は、前述した各実施形態に限定されることなく、本発明の趣旨を逸脱しない範囲において、種々の改良並びに設計の変更を行ってもよい。
【００６３】
インクジェットヘッド１の構成は、入口及び出口がそれぞれ設けられた複数の圧力室２１を有し、圧力室２１に対して圧電素子により圧力を付与して、圧力室２１の出口に連通するノズルＮからインクを吐出させる構成のものであれば、如何なる構成であってもよい。
【００６４】
また、上記各実施形態にあっては、インク吐出方向が上下方向と略平行となるように構成されたインクジェットヘッド１を示したが、インク吐出方向は如何なる方向であっても良く、例えば、傾斜方向や水平方向となるように構成してもよい。
【００６５】
さらに、その他、制御部１０２の制御内容や具体的な細部構造等についても適宜に変更可能であることは勿論である。加えて、今回開示された各実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【００６６】
上述のように、本発明によれば、アクチュエータに触れない状態で配置されるスペーサ部材の変形が防止されて、組立が容易化されたインクジェットヘッド及びインクジェット記録装置を提供することができる。
【符号の説明】
【００６７】
１  インクジェットヘッド
１０  ノズルプレート
２０  圧力室基板
２１  圧力室
２１ａ  流路
３０  振動板
３１  開口部
４０  スペーサ部材
４０ａ  基材部（桟部）
４０ｂ  梁部
４０ｃ  交差部
４１  導通路
５０  配線基板
５１  導通路
５２  配線
５３  インターポーザ
６０  アクチュエータ
６１  配線電極
６２  第１電極層
６３  第２電極層
７０  共通インク室
８０  筐体
９０  接続部
９１  バンプ
９２  導電性材料
１００  インク供給手段
１０１  記録媒体
１０２  制御部
１０３  メモリ
１０４  移動操作機構
Ａ  積層体
Ｎ  ノズル
Ｐ  射出面
【図１】
2018110035.tif 000003
【図２】
2018110035.tif 000004
【図３】
2018110035.tif 000005
【図４】
2018110035.tif 000006
【図５】
2018110035.tif 000007
【図６】
2018110035.tif 000008
【図７】
2018110035.tif 000009
【図８】
2018110035.tif 000010
【図９】
2018110035.tif 000011
【図１０】
2018110035.tif 000012
【国際調査報告】
2018110035.tif 000013
2018110035.tif 000014
2018110035.tif 000015